(57)【要約】【課題】  大量消費物の識別性とデザイン性の向上できる取り付け可能な多色マーカーを提供する。【解決手段】  対象物への1つ又は複数箇所へはめ込みあるいは挟持などの方法で付着可能構造とした識別用多色マーカーで、合成樹脂あるいは金属等の可撓性のある素材で構成する。対象物はビニール傘、コップ類、皿類、鉛筆、ペン、お箸、携帯電話、ポータブルプレイヤー、自転車、歯ブラシ、USBメモリなどの小型記録装置、鞄、ペット飲料等の大量消費材であり、はめ込みあるいは挟持可能とするように、合成樹脂、金属等で板ばねあるいはひだ等を有した筒体で形成する。  傘の露先にはめ込むタイプのものにあっては、一端が開放の円筒状であって、傘の露先の径と同一の径の空洞を確保し、内表面に長手方向で開口側にテーパーを設けた複数のリブを設ける。【選択図】  図３
0003153314.tif 000002
【実用新案登録請求の範囲】
【請求項１】
大量消費物で自己の所有物が他人の所有物と見分けにくい物の識別のための簡易マーカーであって、対象物への１つ又は複数箇所へ付着可能構造としたことを特徴とする識別用多色マーカー。
【請求項２】
一端が開放の円筒状であって、傘の露先の径と同一の径の空洞を確保し、内表面に長手方向で開口側にテーパーを設けた複数のリブを設け、傘の露先を該空洞に差し込み装着可能としたことを特徴とする傘用識別多色マーカー。
【請求項３】
２つ折板ばねであって、対象物の一部を２つ折の板ばね間に挟みこむことを可能とする請求項１記載の識別用多色マーカー。
【請求項４】
中央に開口部分を有した２つ折板ばねであって、請求項１記載の対象物に２つ折の板ばね間に挟みこむことを可能とする請求項１記載の識別用多色マーカー。
【請求項５】
前記マーカーは、合成樹脂で形成されていることを特徴とする請求項１〜４記載の識別用多色マーカー。
【考案の詳細な説明】
【技術分野】
【０００１】
本考案は、大量に出回る例えばビニール傘のようなものに対して、自己所有のものを識別するためのマーカーに関する。より詳しくは、識別性の付与とともに、ファッション性もアップさせることができるような既存物に後から取り付けることが可能な多色マーカーに関する。
【背景技術】
【０００２】
従来、既存の大量消費物に対して、自己の所有を他者の所有と区別するためのカラーマーカーのような物は存在していない。例えは、ビニール傘について説明すると、ビニール傘の価格が安いことも原因ではあるが、一旦数本の他人の傘と一緒に置かれてしまうと、どれが自己の傘かもわかりにくいため、取り間違えたり、あるいは区別がつかずそのまま放置して帰ることになる場合も多々あり、社会的な資源の節約の意味からも好ましくなかった。
【０００３】
【特許文献１】特開２００４−３２１６４３
【０００４】
従来、このような傘の識別のための特許文献としては、上記のようなものが見られるが、上記特許文献１に記載されるものは、傘の柄に穴を開けたものであり、さらにこの穴に識別用のストラップ等を付けるものであるが、この場合は、傘そのものに穴を設けている必要がある。本願のキャップ状あるいは板ばね状にあっては、既存のビニール傘にそのまま装着できることと、装着箇所が多数あるため、いろいろな識別のバリエーションを作り出すことが可能となる。
【考案の開示】
【考案が解決しようとする課題】
【０００５】
本考案は、既存の大量消費物に簡易に嵌めこむことが可能な識別用多色マーカーを提供すること及び、嵌め込み箇所あるいはマーカーの色を変えることにより、画一的な対象物のデザイン性も同時にアップさせることを目的とするものである。
【課題を解決するための手段】
【０００６】
上記の課題を解決するために、請求項１記載の識別用多色マーカーは、大量消費物で自己の所有物が他人の所有物と見分けにくい物の識別のための簡易マーカーであって、対象物への１つまたは複数箇所へ付着可能構造としたことを要旨とする。
【０００７】
また、請求項２記載の識別用多色マーカーは、一端が開放の円筒状であって、傘の露先の径と同一の径の空洞を確保し、内表面に長手方向で開口側にテーパーを有する複数のリブを設けたことを要旨とする。
【０００８】
また、請求項３記載の識別用多色マーカーは２つ折板ばねであって、請求項１記載の対象物の一部を２つ折の板ばね間に挟みこみ可能とすることを要旨とする。
【０００９】
また、請求項４記載の識別用多色マーカーは中央に開口部を有した２つ折板ばねであって、請求項１記載の対象物の一部を２つ折の板ばね間に挟みこみ可能とすることを要旨とする。
【００１０】
また、請求項５記載の識別用多色マーカーは、対象物はビニール傘、コップ類、皿類、鉛筆、ペン、お箸、携帯電話、ポータブルプレイヤー、自転車、歯ブラシ、USBメモリなどの小型記録装置、かばん、ペットボトル飲料等の身の回りの品であり、合成樹脂で形成されていることを要旨とする。
【考案の効果】
【００１１】
本考案の識別用多色マーカーは、対象物の複数の箇所にはめ込んだり、取り付けたりでき、しかも色合いを多数用意しているため、所有者各自でどの箇所にどの色を取り付けるかというデザインを対象物に付与することが可能となり、簡単に大量消費物に自己独自の識別性を付与することができる。
しかも、色も多色であるため、デザイン性のアップも可能となり、傘を例にとると、安価なビニール傘であっても、本考案を使用して自己のデザインを付与したデザインアップを図ることによって価値が高まり、愛着も増加し、持ち帰りを忘れる頻度も減少し、簡単に捨てることが減少し、全体として資源を大切にしたり、環境に配慮することに役立つものである。
コップや皿など飲食に関係する場合は、さらに自己のものと他者の使用中のものとを取り違えることもなくなり、衛生上も好ましい。万一コップを共用せざるを得ないような場合においても自己が口をつけた場所が明らかとなり、衛生的な使用をする際にも応用できる。
さらに副次的効果として、お皿などにあっては、樹脂でこのマーカーを成型すると、皿同士を重ねた場合のクッションの役目を果たし、食器を重ねるときあるいは取り出す際の衝撃で食器が容易に壊れることを防止できる効果もある。
【考案を実施するための最良の形態】
【００１２】
本考案における大量消費物とは、身の回りの消費材を指し、具体的には紙コップ、紙皿、ビニール傘、鉛筆、ペン、お箸、携帯電話、ポータブルプレイヤー、自転車、歯ブラシ、USBメモリなどの小型記録装置、鞄、ペットボトル飲料等が考えられる。
ここで、大量消費物の素材は、紙製、プラスチック製などの使い捨て消費材に限らず、ガラス、陶器であっても、色わけされた各マーカーをつけておくことで、家族内あるいは、下宿等にあっても、自己の食器が特定できて、衛生面においても好ましい。また、マーカーの形状は特に限定はなく、対象物について嵌め込んだり、ねじ込んだり何らかの方法で取り付けできるものであれば、どのような形状でも良い。
マーカーの素材については、彩色が施せるもので挟み込むなどの方法を取るために弾性があり、対象物に取り付け可能な素材であれば、どのようなものでもよく、合成樹脂をはじめ新素材、加工容易な金属等も可能である。しかし、用途によっては、水分を嫌う物であれば、耐水性、耐久性のある素材が好ましいため、用途に応じた素材を選定する必要がある。
また、素材の合成樹脂については、ポリエステル系プラスチック（例えば、PETやPBTなど）、生分解性プラスチック（例えば、ポリ乳酸、PCL、ビオノーレなど）、オレフィン系プラスチック（例えば、ポリエチレン、ポリプロピレンなど）、ビニル系プラスチック（例えば、ポリスチレン、ポリ塩化ビニル、ポリ酢酸ビニルなど）、ナイロン系プラスチック（例えば、ナイロン、ナイロン６，６など）、ゴム・ウレタン系ポリマー（例えば、シリコンゴム、フッ素ゴム、ポリウレタンなど）、ブロックポリマー（例えば、ABS、SEBSなど）などを主成分とするプラスチック、あるいはそれらを少なくとも１成分以上含むブレンドポリマーなどがあげられる。
さらに、本考案は対象物の複数箇所への取り付けが望ましいが、小さいものや、細いものについては、必ずしも複数箇所へ取り付けなくとも良い。色彩は１つの識別マーカーについて１色である必要はなく、複数の色合いが用いられても勿論良い。
【実施例１】
【００１３】
以下、本考案の一実施例について、図面を参照しつつ説明する。図１は本考案の識別用多色マーカーについての説明斜視図であり、図２は使用状態図である。図３は本考案の識別用多色マーカーの他の実施例を示すもので、傘の露先への取り付けを可能としたものを示す。
【００１４】
図１に示すように、厚さ１ｍｍから３ｍｍ程度のオレフィン系プラスチック（例えば、ポリエチレン、ポリプロピレンなど）を主成分とするプラスチック、あるいはそれらを少なくとも１成分以上含むブレンドポリマーからなる合成樹脂を用いて長方形状の板状にし、２つ折り状態であって、折曲げ部には図１に示すような隙間（３）を設け、端部近辺（２）で表裏両面がお互いに付勢するよう曲げて接近させた２つ折り識別マーカー（Ａ）を製造した。
また、ゴム・ウレタン系ポリマー（例えば、シリコンゴム、フッ素ゴム、ポリウレタンなど）を用いて、長方形状の中央部の相似形の長方形をくりぬいた２ｍｍから４ｍｍ幅の外周部を有した枠形状の識別マーカー(Ｂ)を製造した。この折曲げ位置は、紙コップや紙製お皿の淵にうまく係止できるように枠体の一方の両短辺を図１の（ｂ）のように曲線状に折り曲げる。この時折り曲げ側短片４は湾曲させ、反対側の短片（４’）も僅かに内側にカーブさせている。
折まげ程度あるいは挟持力をどの程度持たせるように加工するかは、対象となる物との関係で適宜変更する。
本実施例においては、（Ａ）は、図２の使用状態図に示すように傘のビニールカバーの外周部分の任意の位置にビニールを挟みこんで取り付けるものであるため、折曲げ表裏面（１）の間隙（３）は１〜２ｍｍ程度であることが望ましい。
この識別用マーカーはいずれの実施例においても、紫、ピンク、赤、コバルトブルー、黄、橙、緑、茶、透明の８色以上のバリエーションをもたせ、これらを自己の好きな色を組み合わせて購入できるようにすることで、図２で示すように、傘のビニールカバーの淵に取り付けてデザイン性をアップさせることができる。自己専用のデザインの傘が出来上がる。一般に傘の露先の数は８個であるため、すべての露先に本考案を取り付けて、しかも異なった色を使用することも可能となる。
【００１５】
次に外周を有した枠形状の識別用マーカー（Ｂ）についても図２に示すように折曲部をコップやお皿の淵部分に挟持させて取り付ける。このとき、コップであれば、図２（ｂ）に示すように折り曲げ短片（４）を淵に掛けてコップの表側に（５’）がくるように取り付け、お皿であれば長片（５’）側がお皿の裏になるように取り付ければ、該マーカーが飲料や料理と接触せず好ましい。
一般にパーティや野外バーベキュー、合宿などにおいては、紙製のコップやお皿が大量に使用され、使い捨てされるが、この場合、アルコールが入ってくることもあって、どれが自分の使用しているコップかわからなくなり、困ることが多い。結局誰のものかわからない飲料の入ったコップは片付けられ、また新たなコップと飲料が用意されることになる。本考案を使用すれば、このような状況を回避することができる。
さらに、コップに使用する場合には、自分が口をつけた位置にこのマーカーを付けておけば、コップのどの位置に口をつけたかということが、わかるため、衛生上も好ましい。また立食パーティなどでは、勝手にテーブルを離れただけで、料理を取り分けたお皿を引き下げられてしまうことが多いが、マーカーをつけている状況では飲食中であるというサインとしても利用することが可能となり便利である。
【実施例２】
【００１６】
本考案の実施例２を、図２〜図３にもとづいて説明する。本考案は図２に示すビニール傘の露先（６）にはめ込み可能な傘の露先用多色マーカー（９）である。素材はＰＥＴを主成分とした合成樹脂である。
図３（ａ）が本考案の斜視図であり、外径寸法は９ｍｍで高さ１８．５ｍｍの円柱状であり、内径は７ｍｍとしている。一般にビニール傘の露先は、５ｍｍ〜６ｍｍ径の範囲に収まるため、本考案では、どのタイプの露先にも対応可能なように、内表面にひだを設けてある程度の大きさの相違には対応可能としている。すなわち図３（ｂ）が本考案（９）のＸ―Ｘ縦断面図であり、図３（ｃ）がＹ−Ｙ横断面図である。図に示すように、縦方向に内部に空間を有する下方開放の円柱状形状である。内表面（７）にはひだ（８）を設けている。ひだ（８）は、図３（ｃ）に示すように、上底０．５ｍｍ下底１ｍｍ高さ１ｍｍの断面台形状のひだとしている。さらに、このひだは開口先端方向にテーパー（１０）が設けられている。そして、可撓性のある樹脂で成型しているため、最大の６ｍｍ径の露先を嵌めても、ひだが最大撓むことにより、６ｍｍ径の露先が嵌まるように構成されている。
このような構成の傘用多色マーカーであれば、露先に嵌めこんでも、肉厚が１ｍｍであるため、露先全体が重たくならず、着色されたカラーによるデザイン効果がスマートに発揮できる。また、単なる円筒状ばかりではなく、例えば図３（ｄ）のような花びら形状のキャップとしても良いし、他のデザイン性に優れた構成としても良い。
【００１７】
なお、本実施例においては、傘用多色マーカーは上記のような構成・形状としたが、これに限定されず、露先にはめ込み、取り付け可能であれば、どのような形状でも含まれる。内部の調整用ひだの構成についても、突起状でも良いし、縦長でなくても円周形状のリブでもよい。
このように、露先を多色マーカーで装飾すると、味気のないビニール傘がたちまちカラフルになって、自分用の識別が可能な傘に生まれ変わることとなる。
さらに、図３（ｄ）のようなデザインつきの場合は、カラーの色合いに加えて、デザイン的にも独自のものがプラスされて、さらに華やかな傘にイメージをチェンジさせることができる。このようにカラフルあるいはデザインを変更した傘は愛着がわき、他の人のビニール傘とも識別が直にできるようになり、大切に使う習慣が身につくこととなって、教育的意義や節約の精神を養うことが可能となる。さらに、簡単に物を捨てる大量消費、大量廃棄の風潮を是正することが可能となる。
【００１８】
なお、ペットボトル飲料などにおいても、上記の実施例は応用することが可能で、ペットボトルキャップ径に対応した空洞を有した識別用多色マーカーを製造することにより、ペットボトル飲料の蓋をした上から識別用の多色キャップを被せるようにすれば、自己所有のペットボトルがカラーのキャップとなることから識別可能となる。集団旅行や公式試合、イベント等において、他者のものと区別が可能となり便利である。一般にペットボトルの蓋がしっかり閉まっていないために移動中に内容物がこぼれてしまう事故が度々発生するが、このように識別用のキャップを２重に締めるようにすることで、このような事故も未然に防ぐことができる。さらに握力の少ない人にあっては、飲料のキャップを容易に開けることができない場合もあるが、識別用のキャップを被せて開く動作を行うことで、少ない握力で蓋を開くことができ副次的効果も認められる。
上記実施形態の記述は、本考案をこれに限定するものではなく、本考案の要旨を逸脱しない範囲で種々の設計変更等が可能であることは言うまでもない。
【産業上の利用可能性】
【００１９】
本考案は、簡単な構成であらゆる大量消費物に取り付けることが可能で、幅広く適用が可能であるとともに、使用により、識別性、デザイン性を向上させることができるため、産業上の利用可能性を有する。
【図面の簡単な説明】
【００２０】
【図１】実施例１についての説明図である。
【図２】実施例１及び２についての使用状態説明図である。
【図３】実施例２についての説明図である。
【符号の説明】
【００２１】
Ａ  Ｂ  ９    識別用多色マーカー
１            表裏面
２            付勢部分
３            間隙
４            折り曲げ短片
５  ５’      長片
６            露先
７            内表面
８            ひだ
１０          テーパー
【図１】
0003153314.tif 000003
【図２】
0003153314.tif 000004
【図３】
0003153314.tif 000005
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
大量消費物で自己の所有物が他人の所有物と見分けにくい物の識別のための簡易マーカーであって、対象物への１つ又は複数箇所へ付着可能なはめ込み構造、ねじ込み構造あるいは挟持構造を有したことを特徴とする識別用多色マーカー。
【請求項２】
一端が開放の円筒状であって、傘の露先の径と同一の径の空洞を確保し、内表面に長手方向で開口側にテーパーを設けた複数のリブを設け、傘の露先を該空洞に差し込み装着可能としたことを特徴とする請求項１記載の識別用多色マーカー。
【請求項３】
２つ折板ばねであって、対象物の一部を２つ折の板ばね間に挟みこむことを可能とする請求項１記載の識別用多色マーカー。
【請求項４】
中央に開口部分を有した２つ折板ばねであって、請求項１記載の対象物に２つ折の板ばね間に挟みこむことを可能とする請求項１記載の識別用多色マーカー。
【請求項５】
前記マーカーは、合成樹脂で形成されていることを特徴とする請求項１〜４のいずれか一項に記載の識別用多色マーカー。
【手続補正２】
【補正対象書類名】明細書
【補正対象項目名】０００６
【補正方法】変更
【補正の内容】
【０００６】
上記の課題を解決するために、請求項１記載の識別用多色マーカーは、大量消費物で自己の所有物が他人の所有物と見分けにくい物の識別のための簡易マーカーであって、対象物への１つまたは複数箇所へ付着可能なはめ込み構造、ねじ込み構造あるいは挟持構造としたことを要旨とする。